(57)【要約】【課題】クレート等の動物の収容部に動物が自ら入る躾を促すことが可能な動物ヘルスケアシステムを提供すること。【解決手段】動物ヘルスケアシステム１は、動物Ａが自ら入ることができる入口ｅを有し、内部に入った動物を収容する収容部２と、収容部２に動物Ａが入ったときに、収容部２内に餌を供給する餌供給部２０と、を備える。【選択図】図１
0003227297.tif 000002
【実用新案登録請求の範囲】
【請求項１】
動物が自ら入ることができる入口を有し、内部に入った動物を収容する収容部と、
前記収容部に動物が入ったときに、前記収容部内に餌を供給する餌供給部と、
を備える動物ヘルスケアシステム。
【請求項２】
前記収容部に入った動物の体重を計測する計測部と、
前記収容部に入った動物の画像を取得する取得部と、
前記取得部が取得した動物の前記画像を解析する制御部と、を更に備え、
前記制御部は、
前記画像を解析する解析手段と、
前記解析手段の解析結果から、動物が寝ているか否かを判定する判定手段と、
前記判定手段の判定結果に基づき、動物の睡眠時間を算出する算出手段と、
前記計測部が計測した動物の体重を示す体重情報と、前記算出手段が算出した動物の睡眠時間を示す睡眠時間情報を、ユーザに操作されるユーザ端末に送信する送信手段と、を備える請求項１に記載の動物ヘルスケアシステム。
【考案の詳細な説明】
【技術分野】
【０００１】
本考案は、動物ヘルスケアシステムに関する。
【背景技術】
【０００２】
近年、犬等の動物を飼育することは、家族の一員として動物を飼育するものであり、動物の緊張感や警戒心を軽減するために、外部の刺激と隔離した空間を作ってあげ、ストレスを軽減させる飼育方法のほうが望ましいと考えられている。
【０００３】
しかし、現状、飼育されている動物は、常に飼い主に注意が向いてしまい、飼い主の一挙手一投足に反応してしまい、ストレスをためてしまう傾向にある。また、言葉が通じず、コミュニケーションが難しい動物の健康管理も飼い主にとって難しい課題となっている。動物の異変に気づかず、すぐには病院に連れて行かず、手遅れになるケースも多い。また、病院に行った際もいつごろから異変があったか等があいまいであり、動物の正確な状況を、飼い主が病院で伝えられないケースもある。
【０００４】
また、環境省ガイドラインに、“災害時、飼い主がペットと同行避難することが原則”、“災害に備えた「しつけ」と健康管理（ペットをケージに慣れさせる事を含む）”が呼びかけられている。（２０１３年策定）室内犬においては、万が一天災が起きた際に、避難所で共同生活ができるかどうかは普段からのクレート等の動物の収容部に動物が自ら入る躾がされているかどうかが重要である。防災についての飼い主の意識は年々高まっているものの、飼い主が室内犬にクレートに入る躾を行うことは、時間がかかり簡単ではないのが現状である。
【０００５】
例えば、特許文献１には、飼育ケージが、小動物を収容するケージ本体と、餌を貯留するとともに餌窓から小動物に餌を与える餌容器と、餌窓を開閉するシャッタ装置と、を備える小動物飼育装置が提案されている（特許文献１）。
【先行技術文献】
【特許文献】
【０００６】
【特許文献１】実用新案登録第３２２０４４４号公報
【考案の概要】
【考案が解決しようとする課題】
【０００７】
しかしながら、特許文献１の小動物飼育装置は、自動的に餌を与えることができたとしても、動物が自らゲージ内に入る躾を促すものではない。
【０００８】
本考案は、クレート等の動物の収容部に動物が自ら入る躾を促すことが可能な動物ヘルスケアシステムを提供することを目的とする。
【課題を解決するための手段】
【０００９】
（１）  動物が自ら入ることができる入口を有し、内部に入った動物を収容する収容部と、
前記収容部に動物が入ったときに、前記収容部内に餌を供給する餌供給部と、
を備える動物ヘルスケアシステム。
【００１０】
（１）の構成によれば、動物ヘルスケアシステムは、収容部と、餌供給部と、を備える。
収容部は、動物が自ら入ることができる入口を有し、内部に入った動物を収容する
餌供給部は、収容部に動物が入ったときに、収容部内に餌を供給する。
【００１１】
これにより、クレート等の収容部に犬等の動物が入ったときに、収容部内に餌を供給できる。このように、収容部に動物が入ったときに、収容部内に供給される餌は、動物にとってご褒美となり、収容部に入ると良いことが起きるといった動物の記憶を促し、収容部に入る習慣化を身に着けていくこととなる。
したがって、クレート等の動物の収容部に動物が自ら入る躾を促すことが可能な動物ヘルスケアシステムを提供できる。
【００１２】
（２）  前記収容部に入った動物の体重を計測する計測部と、
前記収容部に入った動物の画像を取得する取得部と、
前記取得部が取得した動物の前記画像を解析する制御部と、を更に備え、
前記制御部は、
前記画像を解析する解析手段と、
前記解析手段の解析結果から、動物が寝ているか否かを判定する判定手段と、
前記判定手段の判定結果に基づき、動物の睡眠時間を算出する算出手段と、
前記計測部が計測した動物の体重を示す体重情報と、前記算出手段が算出した動物の睡眠時間を示す睡眠時間情報を、ユーザに操作されるユーザ端末に送信する送信手段と、を備える（１）に記載の動物ヘルスケアシステム。
【００１３】
（２）の構成によれば、計測部と、取得部と、制御部と、を更に備える。
計測部は、収容部に入った動物の体重を計測する。
取得部は、収容部に入った動物の画像を取得する。
制御部は、取得部が取得した動物の画像を解析する。
制御部は、解析手段と、判定手段と、算出手段と、送信手段と、を備える。
解析手段は、画像を解析する。
判定手段は、解析手段の解析結果から、動物が寝ているか否かを判定する。
算出手段は、判定手段の判定結果に基づき、動物の睡眠時間を算出する。
送信手段は、計測部が計測した動物の体重を示す体重情報と、算出手段が算出した動物の睡眠時間を示す睡眠時間情報を、ユーザに操作されるユーザ端末に送信する。
【００１４】
これにより、ユーザは、ユーザ端末において、収容部に入った動物の体重と、睡眠時間を把握することが可能となり、動物の体重変化から気づきにくい体調の変化を見逃さず、睡眠時間を把握することで、動物のストレス具合を知ることができ、対処することも可能となる。
【考案の効果】
【００１５】
本考案によれば、クレート等の動物の収容部に動物が自ら入る躾を促すことが可能な動物ヘルスケアシステムを提供することができる。
【図面の簡単な説明】
【００１６】
【図１】本考案の一実施形態に係る動物ヘルスケアシステムの概要を説明する図である。
【図２】本考案の一実施形態に係る動物ヘルスケアシステムの機能ブロック図である。
【図３】本考案の一実施形態に係る動物ヘルスケアシステムとユーザ端末との連携を説明する図である。
【図４】本考案の一実施形態に係る動物ヘルスケアシステムにおけるヘルスケア情報処理フローを説明する図である。
【考案を実施するための形態】
【００１７】
［動物ヘルスケアシステムの概要］
本考案の実施形態に係る動物ヘルスケアシステム１の概要を説明する。
図１は、本考案の一実施形態に係る動物ヘルスケアシステムの概要を説明する図である。図１（ａ）は動物が収容部に入っていない状態を示し、図１（ｂ）は動物が収容部に入った状態を示している。
【００１８】
動物ヘルスケアシステム１は、少なくとも、収容部２と、ロードセル１０と、餌供給部２０と、制御部４０と、を備える。
【００１９】
収容部２は、例えば、動物Ａ（例えば、犬やネコ等のペット等）を収容するクレートやゲージで構成され、動物が自ら入ることができる入口ｅを有し、内部に入った動物Ａを収容する。入口ｅは、開閉可能な扉等で構成されている。
【００２０】
ロードセル１０は、例えば、収容部２の下に設置され、収容部２内に動物Ａが入ることで、収容部２の床を介して、動物Ａの重量を電気信号に変換し、変換した電気信号を、制御部４０に送信する。このようなロードセル１０は、収容部２に入った動物Ａの体重を計測する計測部の一例として機能する。
【００２１】
餌供給部２０は、動物Ａの餌を自動的に収容部２内に供給する。餌供給部２０は、制御部４０の制御により、所定のタイミングや、所定時間に、所定量の餌を、収容部２内に供給する。
【００２２】
制御部４０は、ロードセル１０と餌供給部２０と接続され、ロードセル１０から受信した電気信号に基づき、餌供給部２０に所定のタイミングで動物Ａの餌を収容部２内に供給させる。
【００２３】
本実施形態では、図１（ａ）に示すように、動物Ａが収容部２に入っていない状態から、図１（ｂ）に示すように、動物Ａが収容部２に入ることで、ロードセル１０は、収容部２の床を介して荷重を検知し、制御部４０に電気信号を送信する。
【００２４】
制御部４０は、電気信号を受信した場合、餌供給部２０を制御して、所定のタイミングで動物Ａの餌Ｆを収容部２内に供給させる。
【００２５】
なお、動物ヘルスケアシステム１は、スピーカやユーザの声を再生するための音源データを記憶する記憶手段を備えてもよい。この場合、制御部４０は、ロードセル１０から電気信号を受信した場合、スピーカからユーザの声（例えば、動物Ａを褒める声）を再生し、餌供給部２０に動物Ａの餌Ｆを収容部２内に供給させてもよい。
【００２６】
動物ヘルスケアシステム１によれば、クレート等の収容部２に犬等の動物Ａが入ったときに、収容部２内に餌を供給できる。このように、収容部２に動物Ａが入ったときに、収容部２内に供給される餌Ｆは、動物Ａにとってご褒美となり、収容部２に入ると良いことが起きるといった動物Ａの記憶を促し、収容部２に入る習慣化を身に着けていくこととなる。
【００２７】
［動物ヘルスケアシステムの機能構成］
図２は、本考案の一実施形態に係る動物ヘルスケアシステムの機能ブロック図である。
動物ヘルスケアシステム１は、図１で説明した構成に加え、更に、カメラ３０を備える。
【００２８】
カメラ３０は、取得部の一例であり、収容部２に入った動物Ａの画像を取得し、取得した画像を、制御部４０に送信する。詳しくは、後述するが、制御部４０は、カメラ３０が取得した動物Ａの画像を受信し、この画像を解析する。
【００２９】
また、制御部４０は、詳細には、解析手段４１と、判定手段４２と、算出手段４３と、送信手段４４と、を備える。
【００３０】
解析手段４１は、画像を解析する。詳細には、解析手段４１は、公知の技術により、カメラ３０から送信された動物Ａの画像を、画像処理し、動物Ａの画像の特徴点等を数値化したデータを生成する。
【００３１】
判定手段４２は、解析手段４１の解析結果から、動物Ａが寝ているか否かを判定する。詳細には、判定手段４２は、公知の技術により、動物Ａが寝ているか否かを判定するが、例えば、睡眠状態と起きている状態の画像データを外部装置にて予め学習させ、その特徴を数値化したデータを利用して、特徴データを記憶手段に記憶しておき、この特徴データと、解析手段４１が解析し数値化したデータとを対比し、差分が所定値以下であれば、動物Ａが寝ていると判定する。
また、判定手段４２は、動物Ａが寝ていると判定した場合、その時点の時間を記憶手段に記憶する。
【００３２】
また、判定手段４２は、ロードセル１０から送信された電気信号が示す重量が、所定値以上であると判定した場合、餌供給部２０に所定のタイミングで動物Ａの餌を収容部２内に供給させる。なお、所定のタイミングは、所定値以上と判定した時でもいいし、所定値以上と判定した時から、所定時間（例えば、５秒等）経過後でもよい。この所定のタイミングは、収容部２に入った動物Ａが、収容部２に入ることと、餌が出てくることとが関連していると認識できるタイミングに決定される。
また、判定手段４２は、動物Ａが収容部２に入っている所定時間（例えば、８時等）に、ロードセル１０から送信された電気信号が示す重量を記憶手段に記憶する。
【００３３】
算出手段４３は、判定手段４２の判定結果に基づき、動物Ａの睡眠時間を算出する。詳細には、算出手段４３は、判定手段４２が記憶手段に記憶した動物Ａが寝ていると判定した時間を（例えば、日毎に）集計し、動物Ａの睡眠時間を算出する。
【００３４】
送信手段４４は、記憶手段に記憶されたロードセル１０が計測した動物Ａの体重を示す体重情報と、算出手段４３が算出した動物Ａの睡眠時間を示す睡眠時間情報とを含むヘルスケア情報を、ユーザに操作されるユーザ端末１００に送信する。
【００３５】
図３は、本考案の一実施形態に係る動物ヘルスケアシステムとユーザ端末との連携を説明する図である。
ユーザ端末１００は、動物ヘルスケアシステム１から、動物Ａの体重情報と睡眠時間情報とを含むヘルスケア情報を受信し、このヘルスケア情報に基づき、図３に示すように、表示手段に、日付、体重、睡眠時間等を表示する。ユーザ端末１００において、このような体重、睡眠時間等は、グラフ化して月間のグラフで表示してもよい。体重、睡眠時間等を変動が認識し易いグラフにすることで、動物Ａの変化に気づくことができる。
【００３６】
制御部４０は、図示しないプロセッサ、メモリ、ストレージ、通信部を備え、これらはバスにより接続されている。プロセッサは、例えば、ＣＰＵ（Central  Processing  Unit）により構成され、メモリに記憶された各種プログラムを読み出して実行することで、各種処理を行う。メモリは、ＣＰＵにより実行されるプログラムを記憶するものであり、例えば、ＲＯＭ（Read  Only  Memory）やＲＡＭ（Random  Access  Memory）により構成される。
【００３７】
また、制御部４０は、本実施形態の説明では、ロードセル１０や餌供給部２０と別体で設けているが、任意の位置に設けることができ、例えば、餌供給部２０の筐体内部や、ロードセル１０と一体的に設けてもよい。
【００３８】
次に、動物ヘルスケアシステム１におけるヘルスケア情報処理について説明する。
図４は、本考案の一実施形態に係る動物ヘルスケアシステムにおけるヘルスケア情報処理フローを説明する図である。
【００３９】
ステップＳ１において、解析手段４１は、カメラ３０から送信された動物Ａの画像を解析する。
【００４０】
ステップＳ２において、判定手段４２は、ステップＳ１における解析手段４１の解析結果から、動物Ａが寝ているか否かを判定し、動物Ａが寝ていると判定した場合、その時点の時間を記憶手段に記憶する。
【００４１】
ステップＳ３において、算出手段４３は、ステップＳ２で、判定手段４２が記憶手段に記憶した動物Ａが寝ていると判定した時間を（例えば、日毎に）集計し、動物Ａの睡眠時間を算出する。
【００４２】
ステップＳ４において、送信手段４４は、記憶手段に記憶された体重情報と、ステップＳ３で算出手段４３が算出した動物Ａの睡眠時間情報とを含むヘルスケア情報を、ユーザ端末１００に送信する。
【００４３】
なお、本考案は前記実施形態に限定されるものではなく、本考案の目的を達成できる範囲での変形、改良等は本考案に含まれるものである。
【符号の説明】
【００４４】
１  動物ヘルスケアシステム
２  収容部
１０  ロードセル
２０  餌供給部
３０  カメラ
４０  制御部
４１  解析手段
４２  判定手段
４３  算出手段
４４  送信手段
１００  ユーザ端末
【図１】
0003227297.tif 000003
【図２】
0003227297.tif 000004
【図３】
0003227297.tif 000005
【図４】
0003227297.tif 000006
【手続補正書】
【提出日】令和2年1月29日(2020.1.29)
【手続補正１】
【補正対象書類名】実用新案登録請求の範囲
【補正対象項目名】全文
【補正方法】変更
【補正の内容】
【実用新案登録請求の範囲】
【請求項１】
動物が自ら入ることができる入口を有し、内部に入った動物を収容する収容部と、
前記収容部に動物が入ったときに、前記収容部内に餌を供給する餌供給部と、
を備える動物ヘルスケアシステム。
【請求項２】
前記収容部の下に設置され、前記収容部に入った動物の体重を計測する計測部と、
前記計測部と接続され、前記取得部が取得した動物の前記画像を解析する制御部と、
前記制御分と接続され、前記収容部に入った動物の画像を取得する取得部と、を更に備え、
前記制御部は、
前記画像を解析する解析手段と、
前記解析手段の解析結果から、動物が寝ているか否かを判定する判定手段と、
前記判定手段の判定結果に基づき、動物の睡眠時間を算出する算出手段と、
前記計測部が計測した動物の体重を示す体重情報と、前記算出手段が算出した動物の睡眠時間を示す睡眠時間情報を、ユーザに操作されるユーザ端末に送信する送信手段と、を備える請求項１に記載の動物ヘルスケアシステム。
【手続補正２】
【補正対象書類名】明細書
【補正対象項目名】００１２
【補正方法】変更
【補正の内容】
【００１２】
（２）  前記収容部の下に設置され、前記収容部に入った動物の体重を計測する計測部と、
前記計測部と接続され、前記取得部が取得した動物の前記画像を解析する制御部と、
前記制御分と接続され、前記収容部に入った動物の画像を取得する取得部と、を更に備え、
前記制御部は、
前記画像を解析する解析手段と、
前記解析手段の解析結果から、動物が寝ているか否かを判定する判定手段と、
前記判定手段の判定結果に基づき、動物の睡眠時間を算出する算出手段と、
前記計測部が計測した動物の体重を示す体重情報と、前記算出手段が算出した動物の睡眠時間を示す睡眠時間情報を、ユーザに操作されるユーザ端末に送信する送信手段と、を備える（１）に記載の動物ヘルスケアシステム。
【手続補正書】
【提出日】令和2年5月7日(2020.5.7)
【手続補正１】
【補正対象書類名】実用新案登録請求の範囲
【補正対象項目名】全文
【補正方法】変更
【補正の内容】
【実用新案登録請求の範囲】
【請求項１】
動物が自ら入ることができる入口を有し、内部に入った動物を収容する収容部と、
前記収容部に動物が入ったときに、前記収容部内に餌を供給する餌供給部と、
を備える動物ヘルスケアシステム。
【請求項２】
前記収容部の下に設置され、前記収容部に入った動物の体重を計測する計測部と、
前記収容部に入った動物の画像を取得する取得部と、
前記計測部及び前記取得部と接続され、前記取得部が取得した動物の前記画像を解析する制御部と、を更に備え、
前記制御部は、
前記画像を解析する解析手段と、
前記解析手段の解析結果から、動物が寝ているか否かを判定する判定手段と、
前記判定手段の判定結果に基づき、動物の睡眠時間を算出する算出手段と、
前記計測部が計測した動物の体重を示す体重情報と、前記算出手段が算出した動物の睡眠時間を示す睡眠時間情報を、ユーザに操作されるユーザ端末に送信する送信手段と、を備える請求項１に記載の動物ヘルスケアシステム。
【手続補正２】
【補正対象書類名】明細書
【補正対象項目名】００１２
【補正方法】変更
【補正の内容】
【００１２】
（２）  前記収容部の下に設置され、前記収容部に入った動物の体重を計測する計測部と、
前記収容部に入った動物の画像を取得する取得部と、
前記計測部及び前記取得部と接続され、前記取得部が取得した動物の前記画像を解析する制御部と、を更に備え、
前記制御部は、
前記画像を解析する解析手段と、
前記解析手段の解析結果から、動物が寝ているか否かを判定する判定手段と、
前記判定手段の判定結果に基づき、動物の睡眠時間を算出する算出手段と、
前記計測部が計測した動物の体重を示す体重情報と、前記算出手段が算出した動物の睡眠時間を示す睡眠時間情報を、ユーザに操作されるユーザ端末に送信する送信手段と、を備える（１）に記載の動物ヘルスケアシステム。